(57)【特許請求の範囲】
【請求項１】
第１軸方向に配列された複数の板状体を備え、
各板状体は、表示を行うための表示面を有し、
前記表示面は、前記第１軸方向に対して傾斜しており、または、前記第１軸方向に対して垂直であり、
前記表示面は、
第２軸方向に配列された複数の単位レンズと、
前記複数の単位レンズに対向して位置している複数の単位表示面と、を有し、
各単位表示面は、前記第２軸方向に配列された第１表示部分と第２表示部分とを有し、
前記単位レンズは、前記第１表示部分からの光を屈折させて第１角度方向に出射させ、前記第２表示部分からの光を屈折させて前記第１角度方向とは異なる第２角度方向に出射させるようになっており、
前記表示面のうち前記第１角度方向から観察可能な第１可視領域に第１表示対象要素が付与され、前記第１表示対象要素の組み合わせで第１表示対象が形成されるようになっており、
前記表示面のうち前記第２角度方向から観察可能な第２可視領域に第２表示対象要素が付与され、前記第２表示対象要素の組み合わせで第２表示対象が形成されるようになっており、
各板状体は、前記表示面に対向する反射面を有している
ことを特徴とする表示物。
【発明の詳細な説明】
【技術分野】
【０００１】
本発明は、十分な透光性を確保しながら所定の表示機能を発揮することができる表示物に関する。
【背景技術】
【０００２】
外光の入射方向と観察者からの観察方向との相違を利用して、或る角度方向から入射する光を透過させながら、当該或る角度方向とは異なる別の角度方向からの視線を遮ることができる採光および遮視装置が知られている。このような採光および遮視装置の一例として、ブラインド、目隠しルーバー等が挙げられる。採光および遮視装置は、通常、一軸方向に配列された複数の板状体を備えており、各板状体は、一軸方向に対して傾斜している。
【発明の概要】
【発明が解決しようとする課題】
【０００３】
ところで、十分な透光性を確保しながら所定の表示機能を発揮することができる表示物があれば、例えば、建物の窓ガラスの屋外に面するパネル面上に設置される広告看板としての用途において、極めて有用である。しかしながら、そのような表示物は知られていない。
【０００４】
本件発明者は、当初、前述した採光および遮視装置の複数の板状体に、所定の表示対象を印刷することで、十分な透光性を確保しながら所定の表示機能を発揮することができると考えた。具体的には、例えば、各板状体のうち或る角度方向から観察可能な可視領域にそれぞれ表示対象要素を印刷することで、十分な透光性を確保しながら、観察者が当該或る角度方向から装置を観察する時に、表示対象要素の組み合わせによる良好な表示対象を観察することができる。
【０００５】
しかしながら、観察者が当該或る角度方向とは異なる別の角度方向から装置を観察する時には、隣り合う表示対象要素同士が離間することで、表示対象内に余計な空白領域が挿入されたり、隣り合う表示対象要素同士が重なり合うことで、表示対象の一部が欠損する、という問題がある。すなわち、この装置では、観察者が良好な表示対象を観察することができる角度範囲が極めて狭いという問題がある。
【０００６】
本発明は、以上の点を考慮してなされたものであり、十分な透光性を確保しながら、観察者が良好な表示対象を観察することができる角度範囲を広角化することができる表示物を提供することを目的とする。
【課題を解決するための手段】
【０００７】
本発明による表示物は、
第１軸方向に配列された複数の板状体を備え、
各板状体は、表示を行うための表示面を有し、
前記表示面は、前記第１軸方向に対して傾斜しており、または、前記第１軸方向に対して垂直であり、
前記表示面は、
第２軸方向に配列された複数の単位レンズと、
前記複数の単位レンズに対向して位置している複数の単位表示面と、を有し、
各単位表示面は、前記第２軸方向に配列された第１表示部分と第２表示部分とを有し、
前記単位レンズは、前記第１表示部分からの光を屈折させて第１角度方向に出射させ、前記第２表示部分からの光を屈折させて前記第１角度方向とは異なる第２角度方向に出射させるようになっており、
前記表示面のうち前記第１角度方向から観察可能な第１可視領域に第１表示対象要素が付与され、前記第１表示対象要素の組み合わせで第１表示対象が形成されるようになっており、
前記表示面のうち前記第２角度方向から観察可能な第２可視領域に第２表示対象要素が付与され、前記第２表示対象要素の組み合わせで第２表示対象が形成されるようになっている。
【０００８】
本発明による表示物において、各板状体は、前記表示面に対向する反射面を有していてもよい。
【発明の効果】
【０００９】
本発明によれば、十分な透光性を確保しながら、観察者が良好な表示対象を観察することができる角度範囲を広角化することができる表示物を提供することができる。
【図面の簡単な説明】
【００１０】
【図１】図１は、本発明による一実施の形態を説明するための図であって、表示物を示す斜視図である。
【図２】図２は、図１の表示物のＡ−Ａ線に沿った断面図である。
【図３】図３は、図１の表示物における板状体を示す斜視図である。
【図４】図４は、図３の板状体のＢ−Ｂ線に沿った断面図である。
【図５Ａ】図５Ａ（ａ）は、図１の表示物において各板状体の表示面のうち第１可視領域に付与される第１表示対象要素を説明するための図である。図５Ａ（ｂ）は、図１の表示物において各板状体の表示面のうち第２可視領域に付与される第２表示対象要素を説明するための図である。
【図５Ｂ】図５Ｂ（ｃ）は、図１の表示物において各板状体の表示面のうち第３可視領域に付与される第３表示対象要素を説明するための図である。図５Ｂ（ｄ）は、図１の表示物において各板状体の表示面のうち第４可視領域に付与される第４表示対象要素を説明するための図である。
【図６】図６（ａ）は、図５Ａ（ａ）の第１表示対象要素の組み合わせで表示された第１表示対象を示す図である。図６（ｂ）は、図５Ａ（ｂ）の第２表示対象要素の組み合わせで表示された第２表示対象を示す図である。図６（ｃ）は、図５Ｂ（ｃ）の第３表示対象要素の組み合わせで表示された第３表示対象を示す図である。図６（ｄ）は、図５Ｂ（ｄ）の第４表示対象要素の組み合わせで表示された第４表示対象を示す図である。
【発明を実施するための形態】
【００１１】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１２】
本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。また、本明細書において、「シート面（フィルム面、板面、パネル面）」とは、対象となるシート状の部材を全体的かつ大局的に見た場合において対象となるシート状部材の平面方向と一致する面のことを指す。さらに、本明細書において、シート状（フィルム状、板状、パネル状）の部材に対して用いる「法線方向」とは、当該部材のシート面への法線方向のことを指す。
【００１３】
図１は、本発明の一実施の形態による表示物１０を示す斜視図である。図２は、図１の表示物１０のＡ−Ａ線に沿った断面図である。
【００１４】
本実施の形態の表示物１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途などを例示することができる。
【００１５】
図１および図２に示すように、表示物１０は、第１軸方向ｄ１に配列された複数（図示された例では５つ）の板状体１２ａ〜１２ｅを備えている。図示された例では、表示物１０は、建物の窓ガラス１１の屋外に面するパネル面１１ｓ上に配置されている。第１軸方向ｄ１は、パネル面１１ｓと平行であり、パネル面１１ｓの法線方向ｎｄに対して直交している。図示された例では、第１軸方向ｄ１が鉛直方向と平行であり、パネル面１１ｓの法線方向ｎｄが水平方向と平行である。
【００１６】
各板状体１２ａ〜１２ｅは、例えば木材または樹脂から形成されている。第１軸方向ｄ１およびパネル面１１ｓの法線方向ｎｄの両方に平行な主切断面（図２における紙面）において各板状体１２ａ〜１２ｅの延びる方向を、第２軸方向ｄ２と呼ぶと、各板状体１２ａ〜１２ｅの第２軸方向ｄ２の長さは、例えば１ｃｍ以上であり、より具体的には、例えば３０ｃｍ〜５０ｃｍ程度である。また、第１方向ｄ１における板状体１２ａ〜１２ｅの配列ピッチ、すなわち隣り合う板状体１２ａ〜１２ｅの中心間隔は、例えば１０ｃｍ以上であり、より具体的には、例えば３０ｃｍ〜５０ｃｍ程度である。なお、図示された例では、各板状体１２ａ〜１２ｅは、互いに同一に構成されている。
【００１７】
各板状体１２ａ〜１２ｅは、互いに対向する一対の主面として、第１面２１および第２面２２を有している。このうち第１面２１には、表示を行うための表示面２４が設けられている。表示面２４が表示する表示対象としては、図形、パターン、デザイン、色彩、絵、写真、キャラクターなどの絵柄（イメージ）や、文字、マーク、数字などの情報を例示することができる。
【００１８】
図１および図２に示すように、表示面２４は、第１軸方向ｄ１に対して傾斜しており、図示された例では、窓ガラス１１のパネル面１１ｓに対して傾斜している。
【００１９】
より詳しくは、図２に示すように、表示面２４は、第１軸方向ｄ１において一側（図示された例では、図２における上側であって、鉛直方向における上側）に位置する一端部が、第１軸方向ｄ１において他側（図示された例では、図２における下側であって、鉛直方向における下側）に位置する他端部よりも、パネル面１１ｓの法線方向ｎｄにおいて窓ガラス１１から離間するように、パネル面１１ｓに対して傾斜している。図２から理解され得るように、このような表示面２４を有する板状体１２ａ〜１２ｅによれば、パネル面１１ｓの法線方向ｎｄに対して他側（下側）に傾斜した方向、すなわち第２角度範囲ＡＲ２内の角度方向Ｄ２１〜Ｄ２４に向けて、表示面２４から光が出射しやすくなる。したがって、表示面２４からの表示機能は、法線方向ｎｄに対して他側に傾斜した角度範囲ＡＲ２内の方向Ｄ２１〜Ｄ２４から観察される時に、効果的に発揮され得る。一方、パネル面１１ｓの法線方向ｎｄに対して一側（上側）に傾斜した方向、すなわち第１角度範囲ＡＲ１内の角度方向Ｄ１１から表示物１０へ入射する光は、板状体１２ａ〜１２ｅによって遮られにくく、隣り合う板状体１２ａ〜１２ｅの間の空間を通過してパネル面１１ｓに導きやすくなる。
【００２０】
このような傾向を強化する観点から、第１軸方向ｄ１およびパネル面１１ｓの法線方向ｎｄの両方に平行な主切断面（図２における紙面）において、表示面２４は、第１軸方向ｄ１における一側（上側）から他側（下側）に向けて、段階的または連続的に、パネル面１１ｓの法線方向ｎｄにおいてパネル面１１ｓに接近していくことが好ましい。図示された例では、第１軸方向ｄ１およびパネル面１１ｓの法線方向ｎｄの両方に平行な主切断面（図２における紙面）において、表示面２４は、第１軸方向ｄ１における一側（上側）から他側（下側）に向けて、連続的に一定の傾斜の程度で、パネル面１１ｓの法線方向ｎｄにおいてパネル面１１ｓに接近していく。このような表示面２４を有する板状体１２ａ〜１２ｅによれば、パネル面１１ｓの法線方向ｎｄに対して他側（下側）に傾斜した方向、すなわち第２角度範囲ＡＲ２内の角度方向Ｄ２１〜Ｄ２４に向けて、表示面２４から光が出射しやすくなる。したがって、表示面２４からの表示機能は、法線方向ｎｄに対して他側に傾斜した角度範囲ＡＲ２内の方向Ｄ２１〜Ｄ２４から観察される時に、効果的に発揮され得る。一方、第１角度範囲ＡＲ１内の角度方向Ｄ１１から表示物１０へ入射する光は、板状体１２ａ〜１２ｅによって遮られにくく、隣り合う板状体１２ａ〜１２ｅの間の空間を通過してパネル面１１ｓに導きやすくなる。
【００２１】
なお、本実施の形態では、表示面２４は、第１軸方向ｄ１に対して傾斜しているが、これに限定されず、表示面２４は、第１軸方向ｄ１に対して垂直であってもよい。  
【００２２】
図１に示すように、各板状体１２ａ〜１２ｅは、その配列方向である第１軸方向ｄ１に対して交差する方向に直線状に延びている。とりわけ図示された例において、各板状体１２ａ〜１２ｅは、第１軸方向ｄ１およびパネル面１１ｓの法線方向ｎｄの両方と直交する第３軸方向ｄ３に、直線状に延びている。これにより、表示面２４からの表示機能は、第３軸方向ｄ３にわたって連続して発揮され得る。
【００２３】
また、図２に示すように、複数の板状体１２ａ〜１２ｅは、第２角度範囲ＡＲ２内の方向Ｄ２１〜Ｄ２４から表示物１０が観察される時に隣り合う板状体１２ａ〜１２ｅ同士が部分的に重なり合うような位置関係で、第１軸方向ｄ１に配列されている。なお、本明細書において「部分的に重なり合う」とは、少なくとも一部が重なり合うことを意味し、全体が重なり合うこと、および、端縁部同士が重なり合うこと（すなわち端縁部同士が接すること）をも含む概念を意味する。このような配列により、表示面２４からの表示機能は、第１軸方向ｄ１にわたって連続して発揮され得る。
【００２４】
次に、各板状体１２ａ〜１２ｅの表示面２４の構造について詳しく説明する。
【００２５】
図３は、板状体１２ａ〜１２ｅを拡大して示す斜視図である。図４は、図３の板状体１２ａ〜１２ｅのＢ−Ｂ線に沿った断面図である。
【００２６】
図３および図４に示すように、各板状体１２ａ〜１２ｅの表示面２４は、第２軸方向ｄ２に配列された複数の単位レンズ５０を有するレンズ部２８と、複数の単位レンズ５０に対向して位置している複数の単位表示面４０と、を有している。各単位表示面４０は、第２軸方向ｄ２に配列された第１乃至第４表示部分４１〜４４を有している。
【００２７】
図４に示すように、各単位表示面４０は、それぞれ異なる単位レンズ５０に個別に対応するように位置決めされている。単位レンズ５０は、それぞれ対応する単位表示面４０から出射する光に対してレンズ機能を発現し、当該光の進行方向を調整するようになっている。すなわち、図４に示すように、単位レンズ５０は、それぞれ対応する単位表示面４０のうち第１表示部分４１からの光を屈折させて第１角度方向Ｄ２１へ出射させ、第２表示部分４２からの光を屈折させて第２角度方向Ｄ２２へ出射させ、第３表示部分４３からの光を屈折させて第３角度方向Ｄ２３へ出射させ、第４表示部分４４からの光を屈折させて第４角度方向Ｄ２４へ出射させるようになっている。
【００２８】
より詳しくは、図３に示すように、レンズ部２８は、いわゆるレンチキュラーレンズまたはシリンドリカルレンズを構成している。すなわち、各単位レンズ５０は、その配列方向である第２軸方向ｄ２に対して交差する方向に直線状に延びている。とりわけ図示された例において、単位レンズ５０は、第３軸方向ｄ３に直線状に延びている。また、レンズ部２８に含まれる複数の単位レンズ５０は、互いに同一に構成されている。一例として、レンズ部２８は、透明樹脂を成型することにより作製されている。成型方法としては、熱溶融押出加工や射出成型等を採用することができる。
【００２９】
図４に示すように、単位レンズ５０は、互いに対向する一対の主面として、凸レンズ状の第１レンズ面５１ａと、凸レンズ状の第２レンズ面５１ｂと、を有している。図示された例では、第２レンズ面５１ｂの光軸は、第１レンズ面５１ａの光軸よりも窓ガラス１１側（図４における右側）にずれて位置決めされている。
【００３０】
各単位表示面４０は、それぞれ対応する第２レンズ面５１ｂ上に個別に設けられている。単位表示面４０は、第２レンズ面５１ｂの凸レンズ形状に対応する凹面形状を有している。一例として、単位表示面４０は、インクジェット印刷により、第２レンズ面５１ｂ上に塗工されて形成されている。図示された例では、第１表示部分４１、第２表示部分４２、第３表示部分４３、および第４表示部分４４は、窓ガラス１１から遠ざかる向き（図４における右側から左側に向かう向き）にこの順序で設けられている。これにより、図４に示すように、第１表示部分４１からの光は、単位レンズ５０により屈折されて窓ガラス１１のパネル面１１ｓに対して比較的立ち上がった第１角度方向Ｄ２１（例えば、パネル面１１ｓの法線方向ｎｄと略平行な方向）へ出射し、第２表示部分４２からの光は、単位レンズ５０により屈折されて窓ガラス１１のパネル面１１ｓに対してやや寝た第２角度方向Ｄ２２（例えば、パネル面１１ｓに対して６０°傾斜した方向）へ出射し、第３表示部分４３からの光は、単位レンズ５０により屈折されて窓ガラス１１のパネル面１１ｓに対してより寝た第３角度方向Ｄ２３（例えば、パネル面１１ｓに対して３０°傾斜した方向）へ出射し、第４表示部分４４からの光は、単位レンズ５０により屈折されて窓ガラス１１のパネル面１１ｓに対してかなり寝た第４角度方向Ｄ２４（例えば、パネル面１１ｓと略平行な方向）へ出射するようになっている。
【００３１】
ところで、図２から理解され得るように、表示物１０を観察する角度方向Ｄ２１〜Ｄ２４に応じて、隣り合う板状体１２ａ〜１２ｅの第２軸方向ｄ２における重なり量が変化し、その結果、各板状体１２ａ〜１２ｅの表示面２４のうち観察可能な可視領域７０の大きさが変化する。
【００３２】
図５Ａ（ａ）は、各板状体１２ａ〜１２ｅの表示面２４のうち第１角度方向Ｄ２１から観察可能な第１可視領域７１を示している。また、図５Ａ（ｂ）は、各板状体１２ａ〜１２ｅの表示面２４のうち第２角度方向Ｄ２２から観察可能な第２可視領域７２を示している。また、図５Ｂ（ｃ）は、各板状体１２ａ〜１２ｅの表示面２４のうち第３角度方向Ｄ２３から観察可能な第３可視領域７３を示している。また、図５Ｂ（ｄ）は、各板状体１２ａ〜１２ｅの表示面２４のうち第４角度方向Ｄ２４から観察可能な第４可視領域７４を示している。
【００３３】
図５Ａ（ａ）に示すように、符号１２ａの板状体の第１可視領域７１に対応する単位表示面４０の第１表示部分４１には、当該単位表示面４０の第２軸方向ｄ２における位置に応じた第１表示対象要素片３１ａ１〜３１ａｍがそれぞれ付与されており、当該第１表示対象要素片３１ａ１〜３１ａｍの組み合わせにより、二次元的な第１表示対称要素３１ａが形成されるようになっている。同様に、符号１２ｂの板状体の第１可視領域７１に対応する単位表示面４０の第１表示部分４１には、当該単位表示面４０の第２軸方向ｄ２における位置に応じた第１表示対象要素片３１ｂ１〜３１ｂｍがそれぞれ付与されており、当該第１表示対象要素片３１ｂ１〜３１ｂｍの組み合わせにより、二次元的な第１表示対称要素３１ｂが形成されるようになっている。また、符号１２ｃの板状体の第１可視領域７１に対応する単位表示面４０の第１表示部分４１には、当該単位表示面４０の第２軸方向ｄ２における位置に応じた第１表示対象要素片３１ｃ１〜３１ｃｍがそれぞれ付与されており、当該第１表示対象要素片３１ｃ１〜３１ｃｍの組み合わせにより、二次元的な第１表示対称要素３１ｃが形成されるようになっている。また、符号１２ｄの板状体の第１可視領域７１に対応する単位表示面４０の第１表示部分４１には、当該単位表示面４０の第２軸方向ｄ２における位置に応じた第１表示対象要素片３１ｄ１〜３１ｄｍがそれぞれ付与されており、当該第１表示対象要素片３１ｄ１〜３１ｄｍの組み合わせにより、二次元的な第１表示対称要素３１ｄが形成されるようになっている。また、符号１２ｅの板状体の第１可視領域７１に対応する単位表示面４０の第１表示部分４１には、当該単位表示面４０の第２軸方向ｄ２における位置に応じた第１表示対象要素片３１ｅ１〜３１ｅｍがそれぞれ付与されており、当該第１表示対象要素片３１ｅ１〜３１ｅｍの組み合わせにより、二次元的な第１表示対称要素３１ｅが形成されるようになっている。したがって、各板状体１２ａ〜１２ｅの第１角度方向Ｄ２１から観察可能な第１可視領域７１は、第１角度方向Ｄ２１に向けて第１表示対象要素３１ａ〜３１ｅをそれぞれ表示するようになっている。そして、図６（ａ）に示すように、各板状体１２ａ〜１２ｅの第１可視領域７１に対して付与された第１表示対象要素３１ａ〜３１ｅの組み合わせにより、二次元的な第１表示対象３１が形成されるようになっている。
【００３４】
また、図５Ａ（ｂ）に示すように、符号１２ａの板状体の第２可視領域７２に対応する単位表示面４０の第２表示部分４２には、当該単位表示面４０の第２軸方向ｄ２における位置に応じた第２表示対象要素片３２ａ１〜３２ａｍがそれぞれ付与されており、当該第２表示対象要素片３２ａ１〜３２ａｍの組み合わせにより、二次元的な第２表示対称要素３２ａが形成されるようになっている。同様に、符号１２ｂの板状体の第２可視領域７２に対応する単位表示面４０の第２表示部分４２には、当該単位表示面４０の第２軸方向ｄ２における位置に応じた第２表示対象要素片３２ｂ１〜３２ｂｎがそれぞれ付与されており、当該第２表示対象要素片３２ｂ１〜３２ｂｎの組み合わせにより、二次元的な第２表示対称要素３２ｂが形成されるようになっている。また、符号１２ｃの板状体の第２可視領域７２に対応する単位表示面４０の第２表示部分４２には、当該単位表示面４０の第２軸方向ｄ２における位置に応じた第２表示対象要素片３２ｃ１〜３２ｃｎがそれぞれ付与されており、当該第２表示対象要素片３２ｃ１〜３２ｃｎの組み合わせにより、二次元的な第２表示対称要素３２ｃが形成されるようになっている。また、符号１２ｄの板状体の第２可視領域７２に対応する単位表示面４０の第２表示部分４２には、当該単位表示面４０の第２軸方向ｄ２における位置に応じた第２表示対象要素片３２ｄ１〜３２ｄｎがそれぞれ付与されており、当該第２表示対象要素片３２ｄ１〜３２ｄｎの組み合わせにより、二次元的な第２表示対象要素３２ｄが形成されるようになっている。また、符号１２ｅの板状体の第２可視領域７２に対応する単位表示面４０の第２表示部分４２には、当該単位表示面４０の第２軸方向ｄ２における位置に応じた第２表示対象要素片３２ｅ１〜３２ｅｎがそれぞれ付与されており、当該第２表示対象要素片３２ｅ１〜３２ｅｎの組み合わせにより、二次元的な第２表示対称要素３２ｅが形成されるようになっている。したがって、各板状体１２ａ〜１２ｅの第２角度方向Ｄ２２から観察可能な第２可視領域７２は、第２角度方向Ｄ２２に向けて第２表示対象要素３２ａ〜３２ｅをそれぞれ表示するようになっている。そして、図６（ｂ）に示すように、各板状体１２ａ〜１２ｅの第２可視領域７２に対して付与された第２表示対象要素３２ａ〜３２ｅの組み合わせにより、二次元的な第２表示対象３２が形成されるようになっている。
【００３５】
また、図５Ｂ（ｃ）に示すように、符号１２ａの板状体の第３可視領域７３に対応する単位表示面４０の第３表示部分４３には、当該単位表示面４０の第２軸方向ｄ２における位置に応じた第３表示対象要素片３３ａ１〜３３ａｍがそれぞれ付与されており、当該第３表示対象要素片３３ａ１〜３３ａｍの組み合わせにより、二次元的な第３表示対称要素３３ａが形成されるようになっている。同様に、符号１２ｂの板状体の第３可視領域７３に対応する単位表示面４０の第３表示部分４３には、当該単位表示面４０の第２軸方向ｄ２における位置に応じた第３表示対象要素片３３ｂ１〜３３ｂ３がそれぞれ付与されており、当該第３表示対象要素片３３ｂ１〜３３ｂ３の組み合わせにより、二次元的な第３表示対称要素３３ｂが形成されるようになっている。また、符号１２ｃの板状体の第３可視領域７３に対応する単位表示面４０の第３表示部分４３には、当該単位表示面４０の第２軸方向ｄ２における位置に応じた第３表示対象要素片３３ｃ１〜３３ｃ３がそれぞれ付与されており、当該第３表示対象要素片３３ｃ１〜３３ｃ３の組み合わせにより、二次元的な第３表示対称要素３３ｃが形成されるようになっている。また、符号１２ｄの板状体の第３可視領域７３に対応する単位表示面４０の第３表示部分４３には、当該単位表示面４０の第２軸方向ｄ２における位置に応じた第３表示対象要素片３３ｄ１〜３３ｄ３がそれぞれ付与されており、当該第３表示対象要素片３３ｄ１〜３３ｄ３の組み合わせにより、二次元的な第３表示対象要素３３ｄが形成されるようになっている。また、符号１２ｅの板状体の第３可視領域７３に対応する単位表示面４０の第３表示部分４３には、当該単位表示面４０の第２軸方向ｄ２における位置に応じた第３表示対象要素片３３ｅ１〜３３ｅ３がそれぞれ付与されており、当該第３表示対象要素片３３ｅ１〜３３ｅ３の組み合わせにより、二次元的な第３表示対称要素３３ｅが形成されるようになっている。したがって、各板状体１２ａ〜１２ｅの第３角度方向Ｄ２３から観察可能な第３可視領域７３は、第３角度方向Ｄ２３に向けて第３表示対象要素３３ａ〜３３ｅをそれぞれ表示するようになっている。そして、図６（ｃ）に示すように、各板状体１２ａ〜１２ｅの第３可視領域７３に対して付与された第３表示対象要素３３ａ〜３３ｅの組み合わせにより、二次元的な第３表示対象３３が形成されるようになっている。
【００３６】
また、図５Ｂ（ｄ）に示すように、符号１２ａの板状体の第４可視領域７４に対応する単位表示面４０の第４表示部分４４には、当該単位表示面４０の第２軸方向ｄ２における位置に応じた第４表示対象要素片３４ａ１〜３４ａｍがそれぞれ付与されており、当該第４表示対象要素片３４ａ１〜３４ａｍの組み合わせにより、二次元的な第４表示対称要素３４ａが形成されるようになっている。同様に、符号１２ｂの板状体の第４可視領域７４（板状体１２ｂの端縁部）に対応する単位表示面４０の第４表示部分４４には、当該単位表示面４０の第２軸方向ｄ２における位置に応じた第４表示対象要素片３４ｂ１が付与されており、当該第４表示対象要素片３４ｂ１により、第４表示対称要素３４ｂが形成されるようになっている。また、符号１２ｃの板状体の第４可視領域７４（板状体１２ｃの端縁部）に対応する単位表示面４０の第４表示部分４４には、当該単位表示面４０の第２軸方向ｄ２における位置に応じた第４表示対象要素片３４ｃ１が付与されており、当該第４表示対象要素片３４ｃ１により、第４表示対称要素３４ｃが形成されるようになっている。また、符号１２ｄの板状体の第４可視領域７４（板状体１２ｄの端縁部）に対応する単位表示面４０の第４表示部分４４には、当該単位表示面４０の第２軸方向ｄ２における位置に応じた第４表示対象要素片３４ｄ１がそれぞれ付与されており、当該第４表示対象要素片３４ｄ１により、第４表示対象要素３４ｄが形成されるようになっている。また、符号１２ｅの板状体の第４可視領域７４（板状体１２ｅの端縁部）に対応する単位表示面４０の第４表示部分４４には、当該単位表示面４０の第２軸方向ｄ２における位置に応じた第４表示対象要素片３４ｅ１が付与されており、当該第４表示対象要素片３４ｅ１により、第４表示対称要素３４ｅが形成されるようになっている。したがって、各板状体１２ａ〜１２ｅの第４角度方向Ｄ２４から観察可能な第４可視領域７４は、第４角度方向Ｄ２４に向けて第４表示対象要素３４ａ〜３４ｅをそれぞれ表示するようになっている。そして、図６（ｄ）に示すように、各板状体１２ａ〜１２ｅの第４可視領域７４に対して付与された第４表示対象要素３４ａ〜３４ｅの組み合わせにより、二次元的な第４表示対象３４が形成されるようになっている。
【００３７】
このように、表示面２４に設けられた単位レンズ５０は、それぞれ対応する単位表示面４０のうち第１表示部分４１からの光を屈折させて第１角度方向Ｄ２１へ出射させるようになっており、各板状体１２ａ〜１２ｅの表示面２４のうち第２角度範囲ＡＲ２内の第１角度方向Ｄ２１から観察可能な第１可視領域７１に対して第１表示対象要素３１ａ〜３１ｅが付与されていることで、第２角度範囲ＡＲ２内の第１角度方向Ｄ２１から表示物１０を観察する時に、観察者は第１表示対象要素３１ａ〜３１ｅの組合わせで良好な第１表示対象３１を観察することができ、隣り合う第１表示対象要素３１ａ〜３１ｅ同士が離間して第１表示対象３１内に余計な空白領域が挿入されたり、隣り合う第１表示対象要素３１ａ〜３１ｅ同士が部分的に重なり合って第１表示対象３１の一部が欠損する、という問題が防止される。
【００３８】
また、表示面２４に設けられた単位レンズ５０は、それぞれ対応する単位表示面４０のうち第２表示部分４２からの光を屈折させて第２角度方向Ｄ２２へ出射させるようになっており、各板状体１２ａ〜１２ｅの表示面２４のうち第２角度範囲ＡＲ２内の第２角度方向Ｄ２２から観察可能な第２可視領域７２に対して第２表示対象要素３２ａ〜３２ｅが付与されていることで、第２角度範囲ＡＲ２内の第２角度方向Ｄ２２から表示物１０を観察する時に、観察者は第２表示対象要素３２ａ〜３２ｅの組合わせで良好な第２表示対象３２を観察することができ、隣り合う第２表示対象要素３２ａ〜３２ｅ同士が離間して第２表示対象３２内に余計な空白領域が挿入されたり、隣り合う第２表示対象要素３２ａ〜３２ｅ同士が部分的に重なり合って第２表示対象３２の一部が欠損する、という問題が防止される。
【００３９】
また、表示面２４に設けられた単位レンズ５０は、それぞれ対応する単位表示面４０のうち第３表示部分４３からの光を屈折させて第３角度方向Ｄ２３へ出射させるようになっており、各板状体１２ａ〜１２ｅの表示面２４のうち第２角度範囲ＡＲ２内の第３角度方向Ｄ２３から観察可能な第３可視領域７３に対して第３表示対象要素３３ａ〜３３ｅが付与されていることで、第２角度範囲ＡＲ２内の第３角度方向Ｄ２３から表示物１０を観察する時に、観察者は第３表示対象要素３３ａ〜３３ｅの組合わせで良好な第３表示対象３３を観察することができ、隣り合う第３表示対象要素３３ａ〜３３ｅ同士が離間して第３表示対象３３内に余計な空白領域が挿入されたり、隣り合う第３表示対象要素３３ａ〜３３ｅ同士が部分的に重なり合って第３表示対象３３の一部が欠損する、という問題が防止される。
【００４０】
また、表示面２４に設けられた単位レンズ５０は、それぞれ対応する単位表示面４０のうち第４表示部分４４からの光を屈折させて第４角度方向Ｄ２４へ出射させるようになっており、各板状体１２ａ〜１２ｅの表示面２４のうち第２角度範囲ＡＲ２内の第４角度方向Ｄ２４から観察可能な第４可視領域７４に対して第４表示対象要素３４ａ〜３４ｅが付与されていることで、第２角度範囲ＡＲ２内の第４角度方向Ｄ２４から表示物１０を観察する時に、観察者は第４表示対象要素３４ａ〜３４ｅの組合わせで良好な第４表示対象３４を観察することができ、隣り合う第４表示対象要素３４ａ〜３４ｅ同士が離間して第４表示対象３４内に余計な空白領域が挿入されたり、隣り合う第４表示対象要素３４ａ〜３４ｅ同士が部分的に重なり合って第４表示対象３４の一部が欠損する、という問題が防止される。
【００４１】
したがって、観察者は第１乃至第４角度方向Ｄ２１〜Ｄ２４の４つの方向から良好な表示対象３１〜３４を観察することができ、すなわち、良好な表示対象３１〜３４を観察することができる角度範囲を、板状体１２ａ〜１２ｅに表示対象を単純に印刷する場合に比べて、４倍に広角化することができる。
【００４２】
本実施の形態では、図２に示すように、各板状体１２ａ〜１２ｅの第２面２２には、反射面２５が設けられている。反射面２５は、一例として、高い反射率を有する材料からなる薄膜によって形成されている。反射面２５は、第１角度範囲ＡＲ１内の角度方向から第２面２２に向けて入射する光を反射して、パネル面１１ｓに誘導する。したがって、第２面２２に反射面２５を設けることにより、パネル面１１ｓに導かれる光の入射角度範囲に相当する第１角度範囲ＡＲ１を広角化することができる。
【００４３】
次に、以上のような表示物１０の作用について説明する。
【００４４】
本実施の形態による表示物１０は、複数の板状体１２ａ〜１２ｅの配列方向である第１軸方向ｄ１が鉛直方向と平行になるように配置される。より詳しくは、各板状体１２ａ〜１２ｅが、パネル面１１ｓの法線方向ｎｄに対して第１軸方向ｄ１における一側（上側）に傾斜するように、すなわち、各板状体１２ａ〜１２ｅの第１軸方向ｄ１において一側に位置する一端部が、鉛直方向における上側に位置し、各板状体１２ａ〜１２ｅの第１軸方向ｄ１において他側に位置する他端部が、鉛直方向における下側に位置するように、表示物１０が配置される。
【００４５】
各板状体１２ａ〜１２ｅの表示面２４は、パネル面１１ｓの法線方向ｎｄに対して第１軸方向ｄ１における一側（上側）に傾斜しているため、当該法線方向ｎｄに対して第１軸方向ｄ１における他側（下側）に傾斜した方向、すなわち第２角度範囲ＡＲ２内の角度方向Ｄ２１〜Ｄ２４に向けて、表示面２４から光が出射しやすい。したがって、表示面２４からの表示機能は、法線方向ｎｄに対して他側に傾斜した角度範囲ＡＲ２内の方向Ｄ２１〜Ｄ２２から観察される時に、効果的に発揮され得る。
【００４６】
特に、表示面２４に設けられた複数の単位レンズ５０は、それぞれ対応する単位表示面４０のうち第１表示部分４１からの光を屈折させて第１角度方向Ｄ２１へ出射させる。そして、各板状体１２ａ〜１２ｅの第１角度方向Ｄ２１から観察可能な第１可視領域７１は、第１角度方向Ｄ２１に向けて第１表示対象要素３１ａ〜３１ｅをそれぞれ表示する。そのため、第１角度方向Ｄ２１から表示物１０を観察する時に、観察者は、第１表示対象要素３１ａ〜３１ｅの組み合わせで良好な第１表示対象３１を観察することができる。
【００４７】
また、表示面２４に設けられた複数の単位レンズ５０は、それぞれ対応する単位表示面４０のうち第２表示部分４２からの光を屈折させて第２角度方向Ｄ２２へ出射させる。そして、各板状体１２ａ〜１２ｅの第２角度方向Ｄ２２から観察可能な第２可視領域７２は、第２角度方向Ｄ２２に向けて第２表示対象要素３２ａ〜３２ｅをそれぞれ表示する。そのため、第２角度方向Ｄ２２から表示物１０を観察する時に、観察者は、第２表示対象要素３２ａ〜３２ｅの組み合わせで良好な第２表示対象３２を観察することができる。
【００４８】
また、表示面２４に設けられた複数の単位レンズ５０は、それぞれ対応する単位表示面４０のうち第３表示部分４３からの光を屈折させて第３角度方向Ｄ２３へ出射させる。そして、各板状体１２ａ〜１２ｅの第３角度方向Ｄ２３から観察可能な第３可視領域７３は、第３角度方向Ｄ２３に向けて第３表示対象要素３３ａ〜３３ｅをそれぞれ表示する。そのため、第３角度方向Ｄ２３から表示物１０を観察する時に、観察者は、第３表示対象要素３３ａ〜３３ｅの組み合わせで良好な第３表示対象３３を観察することができる。
【００４９】
また、表示面２４に設けられた複数の単位レンズ５０は、それぞれ対応する単位表示面４０のうち第４表示部分４４からの光を屈折させて第４角度方向Ｄ２４へ出射させる。そして、各板状体１２ａ〜１２ｅの第４角度方向Ｄ２４から観察可能な第４可視領域７４は、第４角度方向Ｄ２４に向けて第４表示対象要素３４ａ〜３４ｅをそれぞれ表示する。そのため、第４角度方向Ｄ２４から表示物１０を観察する時に、観察者は、第４表示対象要素３４ａ〜３４ｅの組み合わせで良好な第４表示対象３４を観察することができる。
【００５０】
一方、各板状体１２ａ〜１２ｅの表示面２４は、パネル面１１ｓの法線方向ｎｄに対して第１軸方向ｄ１における一側（上側）に傾斜しているため、当該法線方向ｎｄに対して第１軸方向ｄ１における一側（上側）に傾斜した方向、すなわち第１角度範囲ＡＲ１内の角度方向Ｄ１１から表示物１０に入射する光を、隣り合う板状体１２ａ〜１２ｅの間の空間に取り込むことが可能である。隣り合う板状体１２ａ〜１２ｅの間の空間に取り込まれた光は、隣り合う板状体１２ａ〜１２ｅの間の空間を進行してパネル面１１ｓに導かれる。このように、各板状体１２ａ〜１２ｅをパネル面１１ｓの法線方向ｎｄに対して第１軸方向ｄ１における一側（上側）に傾斜させることにより、パネル面１１ｓに導かれる光の入射角度範囲に相当する第１角度範囲ＡＲ１を、高い自由度で調整することができる。したがって、本実施の形態による表示物１０では、時間帯や季節に応じて入射方向が変化する太陽光を、効率的に透過させることが可能である。
【００５１】
以上のように、本実施の形態によれば、複数の板状体１２ａ〜１２ｅが第１軸方向ｄ１に配列されており、各板状体１２ａ〜１２ｅの表示面２４は、第１軸方向ｄ１に対して傾斜している、または、第１軸方向ｄ１に対して垂直である。そして、各板状体１２ａ〜１２ｅの表示面２４が、第２軸方向ｄ２に配列された複数の単位レンズ５０と、複数の単位レンズ５０に対向して位置している複数の単位表示面４０と、を有し、各単位表示面４０は、第２軸方向ｄ２に配列された第１乃至第４表示部分４１〜４４を有し、単位レンズ５０は、第１乃至第４表示部分４１〜４４からの光をそれぞれ屈折させて互いに異なる第１乃至第４角度方向Ｄ２１〜Ｄ２４にそれぞれ出射させるようになっている。
【００５２】
そして、表示面２４のうち第１角度方向Ｄ２１から観察可能な第１可視領域７１に第１表示対象要素３１ａ〜３１ｅが付与され、第１表示対象要素３１ａ〜３１ｅの組み合わせで第１表示対象３１が形成されるようになっている。また、表示面２４のうち第２角度方向Ｄ２２から観察可能な第２可視領域７２に第２表示対象要素３２ａ〜３２ｅが付与され、第２表示対象要素３２ａ〜３２ｅの組み合わせで第２表示対象３２が形成されるようになっている。また、表示面２４のうち第３角度方向Ｄ２３から観察可能な第３可視領域７３に第３表示対象要素３３ａ〜３３ｅが付与され、第３表示対象要素３３ａ〜３３ｅの組み合わせで第３表示対象３３が形成されるようになっている。また、表示面２４のうち第４角度方向Ｄ２４から観察可能な第４可視領域７４に第４表示対象要素３４ａ〜３４ｅが付与され、第４表示対象要素３４ａ〜３４ｅの組み合わせで第４表示対象３４が形成されるようになっている。
【００５３】
このため、第１角度方向Ｄ２１から表示物１０を観察する時、観察者は第１表示対象要素３１ａ〜３１ｅの組み合わせにより良好な第１表示対象３１を観察することができる。また、第２角度方向Ｄ２２から表示物１０を観察する時、観察者は第２表示対象要素３２ａ〜３２ｅの組み合わせにより良好な第２表示対象３２を観察することができる。また、第３角度方向Ｄ２３から表示物１０を観察する時、観察者は第３表示対象要素３３ａ〜３３ｅの組み合わせにより良好な第３表示対象３３を観察することができる。また、第４角度方向Ｄ２４から表示物１０を観察する時、観察者は第４表示対象要素３４ａ〜３４ｅの組み合わせにより良好な第４表示対象３４を観察することができ
すなわち、本実施の形態によれば、観察者が第１乃至第４角度方向Ｄ２１〜Ｄ２４の４つの方向から表示物１０を観察する場合に、隣り合う表示対象要素同士が離間して表示対象内に余計な空白領域が挿入されたり、隣り合う表示対象要素同士が部分的に重なり合って表示対象の一部が欠損したりすること無く、表示対象要素３１ａ〜３１ｅまたは３２ａ〜３２ｅまたは３３ａ〜３３ｅまたは３４ａ〜３４ｅの組み合わせにより良好な表示対象３１〜３４を観察することが可能である。したがって、本実施の形態によれば、観察者が良好な表示対象３１〜３４を観察することができる角度範囲を、板状体１２ａ〜１２ｅに表示対象を単純に印刷する場合に比べて、４倍に広角化することができる。
【００５４】
また、本実施の形態によれば、複数の板状体１２ａ〜１２ｅが第１軸方向ｄ１に配列されており、各板状体１２ａ〜１２ｅの表示面２４は、第１軸方向ｄ１に対して傾斜している、または、第１軸方向ｄ１に対して垂直であるため、第１角度範囲ＡＲ１内の角度方向Ｄ１１から表示物１０に入射する光は、各板状体１２ａ〜１２ｅに遮られずに、主として隣り合う板状体１２ａ〜１２ｅの間の空間を通過して窓ガラス１１のパネル面１１ｓに導かれる。したがって、第１角度範囲ＡＲ１内の角度方向Ｄ１１から表示物１０に入射する光に対して、十分な透光性を確保することができる。
【００５５】
とりわけ、本実施の形態による表示物１０では、表示物１０を透過される光の入射角度範囲である第１角度範囲ＡＲ１が、鉛直方向における上側に傾斜した方向に設定され、表示面２４を観察し得る視野角となる第２角度範囲ＡＲ２が、鉛直方向における下側に傾斜した方向に設定されている。この場合、典型的な利用として想定される壁面設置の広告看板としての用途において、表示物１０を目線よりも高い位置に設置する場合に有効である。観察者は、鉛直方向における上側に見上げながら表示物１０を観察するため、第２角度範囲ＡＲ２内の角度方向Ｄ２１〜Ｄ２４から表示面２４に付与された表示対象３１〜３４を観察することができる。一方、太陽光は、時間帯や季節に応じて入射方向が変化するが、鉛直方向における下側に傾斜した方向、あるいは、略水平方向に進みながら表示物１０に入射する。このため、太陽光は、時間帯や季節に応じて入射方向が変化しても、第１角度範囲ＡＲ１内の角度方向Ｄ１１から隣り合う板状体１２ａ〜１２ｅの間の空間を通過して窓ガラス１１のパネル面１１ｓへ向かうことができる。
【００５６】
また、本実施の形態によれば、各板状体１２ａ〜１２ｅの第２面２２には、反射面２５が設けられているため、第１角度範囲ＡＲ１内の角度方向から第２面２２に向けて入射する光を反射して、窓ガラス１１のパネル面１１ｓに誘導することができる。これにより、パネル面１１ｓに導かれる光の入射角度範囲に相当する第１角度範囲ＡＲ１を広角化することができる。
【００５７】
ところで、下記の表１は、世界の幾つかの国の主要な都市における季節ごとの南中高度（°）を示している。使用が想定される国の主要な都市における春分秋分の南中高度が第１角度範囲ＡＲ１に含まれることが好ましい。その国で有効に使用できる可能性が高いからである。例えば、使用されることが想定される国が日本の場合は、５４°から５６°までの高度が第１角度範囲ＡＲ１に含まれるようにすればよい。さらに、４９°から６１°までの高度が第１角度範囲ＡＲ１に含まれるようにすれば、世界の多くの国で有効に使用できる可能性が高いため、好ましい。また、使用が想定される国の主要な都市における夏至の南中高度から冬至の南中高度までが第１角度範囲ＡＲ１に含まれることがさらに好ましい。その国で一年を通して有効に使用できる可能性が高いからである。例えば、使用されることが想定される国が日本の場合は、３１°から７９°までの高度が第１角度範囲ＡＲ１に含まれるようにすればよい。さらに、２５°から８４°までの高度が第１角度範囲ＡＲ１に含まれるようにすれば、世界の多くの国で有効に使用できる可能性が高いため、好ましい。なお、所望の高度が第１角度範囲ＡＲ１に含まれることを容易にするために、第１角度範囲ＡＲ１の角度範囲が４５°程度以上連続していることが好ましい。もっとも、表示物１０を傾けて配置することによって、所望の高度を第１角度範囲ＡＲ１に含まれるようにすることも可能である。一方、第１角度範囲ＡＲ１の角度範囲の上限については、第２角度範囲ＡＲ２とのバランスで適宜設定すればよいが、１３５°程度未満とすることによって、本実施の形態の表示物１０の特徴をより発揮させることができる。
【表１】
0006375749.tif 000002
【００５８】
なお、本実施の形態では、各単位表示面４０が、第２軸方向ｄ２に配列された４つの表示部分４１〜４４を有しており、各表示部分４１〜４４からの光が単位レンズ５０により屈折されることで、互いに異なる４つの角度方向Ｄ２１〜Ｄ２４へ出射されるようになっていたが、これに限定されず、各単位表示面４０が、第２軸方向ｄ２に配列された２つまたは３つの表示部分を有しており、各表示部分からの光が単位レンズ５０により屈折されることで、互いに異なる２つまたは３つの角度方向へ出射されるようになっていてもよい。あるいは、各単位表示面４０が、第２軸方向ｄ２に配列された５つ以上の表示部分を有しており、各表示部分からの光が単位レンズ５０により屈折されることで、互いに異なる５つ以上の角度方向へ出射されるようになっていてもよい。１つの単位表示面４０に含まれる表示部分の数を増やすにつれて、観察者が良好な表示対象を観察することができる角度範囲を一層広角化することができる。しかしながら、１つの単位表示面４０に含まれる表示部分の数を増やすにつれて、各表示部分による表示が不明瞭になるため、１つの単位表示面４０に含まれる表示部分の最大数は、実用的には４つ程度であると考えられる。
【００５９】
また、本実施の形態では、表示物１０は、建物の窓ガラス１１のパネル面１１ｓ上に配置されていたが、これに限定されるものではない。例えば、表示物１０は、壁面設置の太陽電池パネルのパネル面上に配置されていてもよい。
【符号の説明】
【００６０】
１０    表示物
１１    窓ガラス
１１ｓ  パネル面
１２ａ〜１２ｅ    板状体
２１    第１面
２２    第２面
２４    表示面
２５    反射面
２８    レンズ部
３１    第１表示対象
３１ａ〜３１ｅ  第１表示対象要素
３１ａ１〜３１ａｍ  第１表示対象要素片
３１ｂ１〜３１ｂｍ  第１表示対象要素片
３１ｃ１〜３１ｃｍ  第１表示対象要素片
３１ｄ１〜３１ｄｍ  第１表示対象要素片
３１ｅ１〜３１ｅｍ  第１表示対象要素片
３２    第２表示対象
３２ａ〜３２ｅ  第２表示対象要素
３２ａ１〜３２ａｍ  第２表示対象要素片
３２ｂ１〜３２ｂｎ  第２表示対象要素片
３２ｃ１〜３２ｃｎ  第２表示対象要素片
３２ｄ１〜３２ｄｎ  第２表示対象要素片
３２ｅ１〜３２ｅｎ  第２表示対象要素片
３３    第３表示対象
３３ａ〜３３ｅ  第３表示対象要素
３３ａ１〜３３ａｍ  第３表示対象要素片
３３ｂ１〜３３ｂ３  第３表示対象要素片
３３ｃ１〜３３ｃ３  第３表示対象要素片
３３ｄ１〜３３ｄ３  第３表示対象要素片
３３ｅ１〜３３ｅ３  第３表示対象要素片
３４    第４表示対象
３４ａ〜３４ｅ  第２表示対象要素
３４ａ１  第４表示対象要素片
３４ｂ１  第４表示対象要素片
３４ｃ１  第４表示対象要素片
３４ｄ１  第４表示対象要素片
３４ｅ１  第４表示対象要素片
４０    単位表示面
４１    第１表示部分
４２    第２表示部分
４３    第３表示部分
４４    第４表示部分
５０    単位レンズ
５１ａ  第１レンズ面
５１ｂ  第２レンズ面
７０    可視領域
７１    第１可視領域
７２    第２可視領域
７４    第４可視領域
７５    第５可視領域
ｄ１    第１軸方向
ｄ２    第２軸方向
Ｄ２１  第１角度方向
Ｄ２２  第２角度方向
Ｄ２３  第３角度方向
Ｄ２４  第４角度方向
【図１】
0006375749.tif 000003
【図２】
0006375749.tif 000004
【図３】
0006375749.tif 000005
【図４】
0006375749.tif 000006
【図５Ａ】
0006375749.tif 000007
【図５Ｂ】
0006375749.tif 000008
【図６】
0006375749.tif 000009